(57)【要約】 【課題】  食品その他の小物商品を収容するためのネット袋に関し、製造コストの廉価性と、商品収容時の整然性が保持されるようにした新規のネット袋の提供を図ったものである。【解決手段】  熱溶着可能とする材料製の正面形成用フイルム状シート材１と背面形成用フイルム状シート材２との両側部全長に亘って、連結用折込部1ａ，1ａ及び2ａ，2ａを形成すると共に、ネット材で形成した折込マチ部材３及び４を、上記正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結し、更に、上記正面形成用フイルム状シート材１と背面形成用フイルム状シート材２の上方部分は、介在されている折込マチ部材３及び４と一括して熱溶着に基づく閉塞部Ａを形成して成るネット袋。【選択図】  図３
0003148884.tif 000002
【実用新案登録請求の範囲】
【請求項１】
熱溶着可能とする材料製の正面形成用フイルム状シート材(１)と背面形成用フイルム状シート材(２)との両側部全長に亘って、連結用折込部(1ａ，1ａ及び2ａ，2ａ)を形成すると共に、ネット材で形成した折込マチ部材(３及び４)を、上記正面形成用フイルム状シート材(１)と背面形成用フイルム状シート材(２)の間に介在させると共に、その両側縁部分を、上記連結用折込部(1ａ，1ａ及び2ａ，2ａ)と重合させた状態で熱溶着(Ｐ)に基づき接合連結し、更に、上記正面形成用フイルム状シート材(１)と背面形成用フイルム状シート材(２)の上方部分は、介在されている折込マチ部材(３及び４)と一括して熱溶着に基づく閉塞部(Ａ)を形成して成るネット袋。
【請求項２】
熱溶着可能とする材料製の正面形成用フイルム状シート材(１)と背面形成用フイルム状シート材(２)との両側部全長に亘って、連結用折込部(1ａ，1ａ及び2ａ，2ａ)を形成すると共に、延伸したフイルムから製造した割繊網状体を縦・横方向に配列した特殊不織布であるワリフ（登録商標）を用いたネット材で形成した折込マチ部材(３及び４)を、上記正面形成用フイルム状シート材(１)と背面形成用フイルム状シート材(２)の間に介在させると共に、その両側縁部分を、上記連結用折込部(1ａ，1ａ及び2ａ，2ａ)と重合させた状態で熱溶着(Ｐ)に基づき接合連結し、更に、上記正面形成用フイルム状シート材(１)と背面形成用フイルム状シート材(２)の上方部分は、介在されている折込マチ部材(３及び４)と一括して熱溶着に基づく閉塞部(Ａ)を形成して成るネット袋。
【請求項３】
熱溶着可能とする材料製の正面形成用フイルム状シート材(１)と背面形成用フイルム状シート材(２)の両方または何れか一方に、内部に収容する商品に関する商品名表示、バーコード表示、原材料マーク表示、原産地表示等の各種表示、並びに装飾的模様表示・地色的色彩表示等を成すための印刷を施すように構成した請求項１または請求項２に記載のネット袋。
【請求項４】
熱溶着可能とする材料製の正面形成用フイルム状シート材(１)と背面形成用フイルム状シート材(２)の両方または何れか一方を、透明または半透明のフイルム状シート材で形成して成る請求項１乃至請求項３の何れかに記載のネット袋。
【請求項５】
熱溶着に基づく閉塞部(Ａ)を縦方向にやや幅広く形成すると共に、当該閉塞部(Ａ)の所要箇所に、商品の引掛け的展示または携行用持ち手として機能させるための吊り下用孔(ａ)を設けて成る請求項１乃至請求項４の何れかに記載のネット袋。
【考案の詳細な説明】
【技術分野】
【０００１】
本考案は食品その他の小物商品を収容するためのネット袋に関する。
【背景技術】
【０００２】
従来、多数のモノフィラメント状の線条を交差して一体化した伸縮自在な網目を構成してなるネット袋がある（例えば、特許文献１参照。）。
然し乍、このようなネット袋の致命的な問題点は、内部に収容する商品の名称等に関する表示、バーコード表示、原材料マーク表示、原産地表示等の各種表示を施す場合、当該袋は網状であるために、このような表示を直接印刷することが不可能とされる点にあった。
【０００３】
このような問題を解消したネット袋として、本考案と同一の発明者・出願人とする実用新案登録出願に係る「ネット袋」がある（特許文献２参照。）。  これは、ネット袋主体に対して、当該ネット袋主体内に収容する商品に関する各種表示の印刷を表面に施してなる合成樹脂製フイルム状シート材で形成した表示用シートを熱溶着するように構成したものである。  そして、当該表示用シートはネット袋主体を表面全体に形成するように構成する場合も有る。
【０００４】
然し乍、このように単なる矩形状の袋であると、商品の収容量が限られ、これを解消する手段としては、本考案と同一の発明者・出願人とする特許出願に係る「ネット袋」のように、側部に内側に折り込んだマチ部を形成し、商品の収容時に当該マチ部分が開いて収容能力の増大化を図るように構成したものがある（特許文献３参照。）。  また、このように側部にマチを形成した袋としては紙袋等に多く見られる手段である。
【０００５】
そして、上述した特許文献３に示す「ネット袋」は、ネット部分には印刷表示を行うことが出来ないため、ネット材で形成されかつ両側部にマチ部具えた袋の表裏両面に表示用シートを別に重ねて設けるように構成してある。
【０００６】
すなわち、ネット袋の場合は、側部に形成するマチ部の有無を問わず、商品の商標、品質説明、バーコード表示等を行うための印刷面の形成には、ネット状の素材は  印刷には不適当であるから、必然、当該袋に対して印刷表示のための表示用シートを重合させて設ける必要があった。
【０００７】
【特許文献１】特許第２９６４３３１号
【特許文献２】実用新案登録第３１１４６６７号
【特許文献３】特開２００８−１７９３９２号
【考案の開示】
【考案が解決しようとする課題】
【０００８】
ところで、ネット袋を形成する素材たるネット材は比較的高価であり、特に、延伸したフイルムから製造した割繊網状体を縦・横方向に配列した特殊不織布である「ワリフ（登録商標）」をネット材として用いた場合、高価性が著しいものとされる。
【０００９】
更に、側部に形成するマチ部であるが、紙材等と異なりネット材は弾力性があるため、商品を詰めることに依って当該マチ部が外方に開いた場合、折り目のついた整然たる膨らみとはならず、不規則に膨らんだ形状となってしまうため、袋詰め商品としての見場（ミバ）が悪くなってしまった。  本考案はこのような問題点を解消した新規のネット袋の提供を図ったものである。    
【課題を解決するための手段】
【００１０】
本考案は請求項１に記載のように、熱溶着可能とする材料製の正面形成用フイルム状シート材１と背面形成用フイルム状シート材２との両側部全長に亘って、連結用折込部1ａ，1ａ及び2ａ，2ａを形成すると共に、ネット材で形成した折込マチ部材３及び４を、上記正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結し、更に、上記正面形成用フイルム状シート材１と背面形成用フイルム状シート材２の上方部分は、介在されている折込マチ部材３及び４と一括して熱溶着に基づく閉塞部Ａを形成して成るネット袋に係るものである。  
【００１１】
そして本考案は、請求項２に記載のように、熱溶着可能とする材料製の正面形成用フイルム状シート材１と背面形成用フイルム状シート材２との両側部全長に亘って、連結用折込部1ａ，1ａ及び2ａ，2ａを形成すると共に、延伸したフイルムから製造した割繊網状体を縦・横方向に配列した特殊不織布であるワリフ（登録商標）を用いたネット材で形成した折込マチ部材３及び４を、上記正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結し、更に、上記正面形成用フイルム状シート材１と背面形成用フイルム状シート材２の上方部分は、介在されている折込マチ部材３及び４と一括して熱溶着に基づく閉塞部Ａを形成して成るネット袋を実施の態様とする。
【００１２】
更に本考案は、請求項３に記載のように、熱溶着可能とする材料製の正面形成用フイルム状シート材１と背面形成用フイルム状シート材２の両方または何れか一方に、内部に収容する商品に関する商品名表示、バーコード表示、原材料マーク表示、原産地表示等の各種表示、並びに装飾的模様表示・地色的色彩表示等を成すための印刷を施すように構成した請求項１または請求項２記載のネット袋を実施の態様とする。
【００１３】
更に本考案は、請求項４に記載のように、熱溶着可能とする材料製の正面形成用フイルム状シート材１と背面形成用フイルム状シート材２の両方または何れか一方を、透明または半透明のフイルム状シート材で形成して成る請求項１乃至請求項３の何れかに記載のネット袋を実施の態様とする。
【００１４】
更に本考案は、請求項５に記載のように、熱溶着に基づく閉塞部Ａを縦方向にやや幅広く形成すると共に、当該閉塞部Ａの所要箇所に、商品の引掛け的展示または携行用持ち手として機能させるための穿設穴を設けて成る請求項１乃至請求項４の何れかに記載のネット袋を実施の態様とする。
【考案の効果】
【００１５】
本考案は請求項１に記載のような構成、すなわち、熱溶着可能とする材料製の正面形成用フイルム状シート材１と背面形成用フイルム状シート材２との両側部全長に亘って、連結用折込部1ａ，1ａ及び2ａ，2ａを形成すると共に、ネット材で形成した折込マチ部材３及び４を、上記正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結し、更に、上記正面形成用フイルム状シート材１と背面形成用フイルム状シート材２の上方部分は、介在されている折込マチ部材３及び４と一括して熱溶着に基づく閉塞部Ａを形成するように構成したから、製造コストの著減価が図られると共に、商品収容時におけるマチ部の拡開が極めて整然たる形態保持される。
【００１６】
何故ならば、本考案に係るネット袋は、比較的高価素材であるネット材を、マチ部のみに使用し、正面部及び背面部は比較的廉価なフイルム状シート材で形成するように構成したから、その製造コストを下げることができる。
同時に、上記折込マチ部材３及び４を、当該正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結するように構成したから、当該溶着Ｐに基づく固化作用、及び連結用折込部1ａ，1ａ及び2ａ，2ａの重合的存在に基づき、ネット袋の両側部は一種の強度補修的作用が奏され、従って、本考案に係る袋内に所要商品を収容してマチ部材３及び４が開いた状態であっても、当該両側部は直線状を保持することとなり、袋詰め商品形態の整然性が保たれる。
そして、当該熱溶着Ｐ部分の存在は、ネット袋の強度的向上性にも貢献することとなる。
【００１７】
本考案は請求項２に記載のような構成、すなわち、熱溶着可能とする材料製の正面形成用フイルム状シート材１と背面形成用フイルム状シート材２との両側部全長に亘って、連結用折込部1ａ，1ａ及び2ａ，2ａを形成すると共に、延伸したフイルムから製造した割繊網状体を縦・横方向に配列した特殊不織布であるワリフ（登録商標）を用いたネット材で形成した折込マチ部材３及び４を、上記正面形成用フイルム状シート材１と背面形成用フイルム状シート材２の間に介在させると共に、その両側縁部分を、上記連結用折込部1ａ，1ａ及び2ａ，2ａと重合させた状態で熱溶着Ｐに基づき接合連結し、更に、上記正面形成用フイルム状シート材１と背面形成用フイルム状シート材２の上方部分は、介在されている折込マチ部材３及び４と一括して熱溶着に基づく閉塞部Ａを形成するように構成したから、上記した請求項１の記載されたものと同様の作用効果を奏することとなる。
【００１８】
同時に、折込マチ部材３及び４を、延伸したフイルムから製造した割繊網状体を縦・横方向に配列した特殊不織布であるワリフ（登録商標）を用いたネット材で形成するように構成したことにより、網目部分において高い通気性と優れた強度を奏することとなる。  そして、そのメッシュ構造に基づき「薄くて軽量、通気性が良い」、「縦・横ともに高強度でバランスがよく、腰が強い」、「目ズレがなく定形性に優れている」、「他素材との組合せなど加工性に優れている」、「滞水、耐薬品性に優れている」と言うような特性が発揮されることとなる。
【００１９】
本考案は請求項３に記載のような構成、すなわち、熱溶着可能とする材料製の正面形成用フイルム状シート材１と背面形成用フイルム状シート材２の両方または何れか一方に、内部に収容する商品に関する商品名表示、バーコード表示、原材料マーク表示、原産地表示等の各種表示、並びに装飾的模様表示・地色的色彩表示等を成すための印刷を施すように構成したから、当該表示のための印刷が極めて鮮明に施され、商品購入者に対する詳細なる商品説明を施すことが可能化される。
【００２０】
本考案は請求項４に記載のような構成、すなわち、溶着可能とする材料製の正面形成用フイルム状シート材１と背面形成用フイルム状シート材２の両方または何れか一方を、透明または半透明のフイルム状シート材で形成することにより、購入者に対して、収容商品の可視的確認が果され、自分の目で見た上での納得のいく商品購入が果される。
【００２１】
本考案は請求項５に記載のような構成、すなわち、熱溶着に基づく閉塞部Ａを縦方向にやや幅広く形成すると共に、当該閉塞部Ａの所要箇所に、商品の引掛け的展示または携行用持ち手として機能させるための吊り下用孔ａを設けるように構成したから、当該吊り下用穴ａ部分は、閉塞部Ａは正面形成用フイルム状シート材１と背面形成用フイルム状シート材２並びに折込マチ部材３または４の三者の熱溶着に基づく重合部分に穿設されるため、強度的に極めて強靭なものとされ、その穴縁に亀裂が生じるような恐れがない。
【考案を実施するための最良の形態】
【００２２】
図に於いて、１は袋の正面形成用フイルム状シート材、２は同上背面形成用フイルム状シート材であって、夫々熱溶着可能とする合成樹脂性のフイルム状シート材で形成してある。  そして、図面に於いては省略してあるが、当該フイルム状シート材の両者または何れか一方には、内部に収容する商品に関する商品名表示、バーコード表示、原材料マーク表示、原産地表示等の各種表示、並びに装飾的模様表示・地色的色彩表示等を成すための印刷が施されるように構成してある。
【００２３】
３及び４はネット材で形成した折込マチ部材であって、上記した正面形成用フイルム状シート材１と背面形成用フイルム状シート材２の両側部に内向きＶ字状に介在連設させることによって、マチ付きの袋を形成するためのものである。  なお、当該折込マチ部材３，４の深さであるが、これは商品収容量に応じて適宜設定するものとする。
【００２４】
当該折込マチ部材３，４の上記介在連結手段であるが、これは前記正面形成用フイルム状シート材１及び背面形成用フイルム状シート材２の両側縁部分を全長に亘って内側に折り込むことによって、連結用折込部1ａ，1ａ及び2ａ，2ａを形成し、上記した折込マチ部材３及び４の両側縁部分を重ね合わせると共に、熱溶着Ｐに基づき接合連結するように構成してある。
【００２５】
そして、このような連結状態においては、上記接合連結部分は熱溶着Ｐに基づく硬化作用と、連結用折込部1ａ，1ａ及び2ａ，2ａの形成に基づき整然たる折畳み形態が保持され、従って、袋内に所要の商品を詰め込んでマチ部材３,４が拡げられた状態にあっても、袋の側縁線は整然たる状態に保たれるように構成されているわけである。
【００２６】
すなわち、正面形成用フイルム状シート材１と背面形成用フイルム状シート材２は合成樹脂材料で形成されているため、柔軟的弾力性を備えたネット材と異なり、その連結用折込部1ａ，1ａ及び2ａ，2ａの形成は直線状に極めて確りとした折込み状態に保たれることとなる。
【００２７】
ところで、上述した折込マチ部材３，４の形成素材であるが、これは多数のモノフィラメント状の合成樹脂製線条を交差して一体化した伸縮自在な網目を有する網材を用いるものである。
【００２８】
そして、当該折込マチ部材３，４の形成素材としては、上記したような単なる網材で形成する以外、延伸したフイルムから製造した割繊網状体を縦・横方向に配列した特殊不織布である「ワリフ（登録商標）」を用いることができる。  すなわち、当該「ワリフ（登録商標）」とは、新日石プラスト社が商標を所有する商品であり、延伸したフイルムから製造した割繊網状体を縦・横方向に配列した特殊不織布で、メッシュ構造で高い通気性と強度を有している。  そして、そのメッシュ構造に基づき「薄くて軽量、通気性が良い」、「縦・横ともに高強度でバランスがよく、腰が強い」、「目ズレがなく定形性に優れている」、「他素材との組合せなど加工性に優れている」、「滞水、耐薬品性に優れている」と言うような特性を備えた素材である。  従って、このような「ワリフ」を用いることにより、袋として通気性、柔軟性を損なうことなく強靭性を具えたものとされる。  本考案はこのようなワリフ（登録商標）を用いて実施する場合もある。
【００２９】
上記したようにして、正面形成用フイルム状シート材１及び背面形成用フイルム状シート材２と折込マチ部材３，４とで形成されているネット袋は、その上縁部分は熱溶着に基づき一括して閉塞した閉塞部Ａを形成すると共に、その下端部分は開放させた状態が保たれており、この状態でネット袋素材としての販売に供されるものである。
【００３０】
そして、下縁側開口部に対する閉塞部処理は、ネット袋の購入者が所要の商品を収容した後に独自に施すものである。  その閉塞する手段としては、当該部分を熱溶着に基づき閉塞する手段、または、ステイプラー（商標：ホッチキス）により閉塞する手段、或いは、紐により一括して束ねた結束形態に閉塞する手段が挙げられる。  
【００３１】
なお、既述した正面形成用フイルム状シート材１及び背面形成用フイルム状シート材２であるが、収容されている商品の正面部または背面部若しくは両方からの透視を図るために、当該フイルム状シート材の両者若しくは何れか一方を透明若しくは半透明のフイルム状シート材で形成することが好ましいが、これは絶対的な要件ではなく、非透明性のフイルム状シート材で形成して実施することも可能である。
【００３２】
ａは上記した熱溶着部Ａの所要箇所に正面側から背面側に突き抜けるようにＵ字状に溶断またはプレス等に基づき切設したる吊り下用孔であって、商品の引掛け的展示、または、携行用持ち手として機能させるためのものであり、その形成形状は図示のものに限定されるものではなく、単なる穿設孔であっても良い。
【００３３】
本考案に係るネット袋は以上のような構成を有するものであって、図面に示すような形態で包装用袋として販売に供され、実際の商品販売に際しては、これの購入者によりネット袋内に対する商品の収容及び下端側開口部に対する閉塞処理を施した状態で行われるものである。
【図面の簡単な説明】
【００３４】
【図１】本考案の正面図である。
【図２】本考案の側面図である。
【図３】図１におけるＸ−Ｘで切断して著しく拡大して示す断面図である。
【図４】図２におけるＹ−Ｙ線断面図である。
【符号の説明】
【００３５】
１  正面形成用フイルム状シート材
1a  連結用折込部
２  背面形成用フイルム状シート材
2a  連結用折込部
３  折込用マチ部
４  折込用マチ部
Ｐ  熱溶着
ａ  吊り下用孔
【図１】
0003148884.tif 000003
【図２】
0003148884.tif 000004
【図３】
0003148884.tif 000005
【図４】
0003148884.tif 000006